(57)【特許請求の範囲】
【請求項１】
矩形の底面網と、４つの側面網のうちの互いに隣接する少なくとも２つの側面網とを含み、各面網の相接する辺同士が折曲自在なるように連結されていて、隣接する側面網の一方が、他方の側面網に連結された側辺の下端部から斜め上方に向けて傾斜状態に延びる骨線を有し、この骨線に沿って斜めに折曲可能であることを特徴とする折畳式角形蛇篭。
【請求項２】
矩形の底面網と、該底面網の中間位置に起倒自在に取り付けられた少なくとも１つの仕切面網と、上記底面網の側辺に該仕切面網と交差する向きに取り付けられた１つ又は２つの側面網とを含み、これらの仕切面網と側面網とが相互に折曲自在なるように連結されると共に、上記仕切面網が、交差する側面網に連結された側辺の下端部から斜め上方に向けて傾斜状態に延びる骨線を有し、この骨線に沿って斜めに折曲可能であることを特徴とする折畳式角形蛇篭。
【請求項３】
上記底面網の中間位置に少なくとも１つの仕切面網が起倒自在に取り付けられると共に、該仕切面網の端部が該仕切面網と交差する側面網に折曲自在に連結され、且つ該仕切面網が、傾斜する骨線によって斜めに折曲自在であることを特徴とする請求項１に記載の角形蛇篭。
【請求項４】
上記骨線を有する面網が、この骨線により複数の網部分に区分されていて、これらの網部分が該骨線の位置で相互に折曲自在に連結されていることを特徴とする請求項１から３までの何れかに記載の角形蛇篭。
【請求項５】
上記骨線の傾斜角が実質的に４５度であることを特徴とする請求項１から４までの何れかに記載の角形蛇篭。
【請求項６】
上記各面網の相接する辺同士が、１本又は２本の骨線を介して相互に連結されていることを特徴とする請求項１から５までの何れかに記載の角形蛇篭。
【請求項７】
請求項１から６までの何れかに記載の角形蛇篭を、各面網を相互に連結した状態のまま、上記骨線付きの面網を該骨線の位置で斜めに折曲することにより底面網上に折り重ね、その状態で包装してあることを特徴とする蛇篭包装体。
【請求項８】
請求項１から６までの何れかに記載の構成を持つ角形蛇篭を、各面網を相互に連結した状態のまま、上記骨線付きの面網を該骨線の位置で斜めに折曲することにより底面網上に折り重ね、その状態で現場に輸送したあと、該現場で上記各面網を起立させることにより組み立てることを特徴とする蛇篭の取り扱い方法。
【発明の詳細な説明】
【０００１】
【発明の属する技術分野】
本発明は、折畳式の角形蛇篭と蛇篭包装体及びその取り扱い方法に関する。
【０００２】
【従来の技術】
例えば、護岸工事や宅地造成工事等には、図２０に示すような、一般にふとん篭や石詰篭と称される角形蛇篭が使用される。この角形蛇篭は、通常、菱形金網や亀甲金網、溶接金網等によって六面体状に形成され、上面網を開放した状態で内部に土石を充填したあと、上面網を閉じることによって現場に設置される。
【０００３】
このような角形蛇篭は、一般に、底面網１と前後の側面網２ａ，２ｂ及び左右の側面網３ａ，３ｂと上面網４とを、それぞれ独立に形成し、それらを分離状態のままか、あるいは部分的に連結したものを折り畳んだ状態で現場に輸送し、現場で各面網の相接する辺同士を螺旋状をした連結線５で相互に連結することにより容器形に組み立てるようにしている。ところが、上記連結線５は、中心軸線の回りに回転させながら連結すべき辺に巻き付けていかなければならないため、連結作業がかなり面倒で、設置すべき蛇篭の数が数十あるいは数百といったように多い場合には、それらの組み立てに非常に多くの手数と時間とを必要とし、作業効率が悪い。
【０００４】
そこで上記蛇篭を、工場などで予め容器形に組み立てて現場に輸送すれば、現場での組立作業を簡略化することができるが、組み立てた蛇篭は非常に嵩張るため、梱包や輸送に不便で大量輸送することができない。
このような問題は、上述したように４つの側面網２ａ，２ｂ及び３ａ，３ｂを全て有する蛇篭だけでなく、一部の側面網を省略することによって隣接する蛇篭間で側面網が重複するのを防止するようにした特殊な構成を持つ蛇篭においても共通である。
【０００５】
【発明が解決しようとする課題】
本発明の技術的課題は、角形蛇篭を、予め所定の形に組み立てた状態のまま折り畳むことができるように構成することにより、嵩張りを防いで現場への輸送を容易にすると共に、現場での組み立て作業を簡略化して設置作業の効率化を図ることにある。
【０００６】
【課題を解決するための手段】
上記課題を解決するため、本発明によれば、矩形の底面網と、４つの側面網のうち互いに隣接する少なくとも２つの側面網とを含み、各面網の相接する辺同士が折曲自在なるように連結されていて、隣接する側面網の一方が、他方の側面網に連結された側辺の下端部から斜め上方に向けて傾斜状態に延びる骨線を有し、この骨線に沿って斜めに折曲可能であることを特徴とする折畳式角形蛇篭が提供される。
【０００７】
上記底面網の中間位置には少なくとも１つの仕切面網を起倒自在に取り付けることができ、この場合にこの仕切面網は、その端部が該仕切面網と交差する側面網に折曲自在に連結され、且つ、傾斜する骨線によって斜めに折曲自在なるように構成される。
【０００８】
また、本発明によれば、矩形の底面網と、該底面網の中間位置に起倒自在に取り付けられた少なくとも１つの仕切面網と、上記底面網の側辺に該仕切面網と交差する向きに取り付けられた１つ又は２つの側面網とを含み、これらの仕切面網と側面網とが相互に折曲自在なるように連結されると共に、上記仕切面網が、交差する側面網に連結された側辺の下端部から斜め上方に向けて傾斜状態に延びる骨線を有し、この骨線に沿って斜めに折曲可能であることを特徴とする折畳式角形蛇篭が提供される。
【０００９】
このような構成を有する本発明の角形蛇篭は、骨線付きの側面網及び仕切面網を該骨線の位置で斜めに折曲することにより、各面網を底面網上に折り重ね、その状態で現場に輸送したあと、該現場で上記側面網及び仕切面網を起立させることにより組み立て、内部に土石等を充填することにより現場に設置される。このとき、必要に応じてその上面には、上面網が取り付けられる。上記骨線の傾斜角は実質的に４５度であることが望ましい。
【００１０】
かくして上記角形蛇篭によれば、予め容器形など所定の形に組み立てた状態のまま、即ち、各面網を互いに連結した状態のまま、それらを底面網上に折り重ねることができるため、蛇篭を嵩張らないようにコンパクトに折り畳むことが可能となり、現場への輸送が容易で大量の蛇篭を同時輸送することができる。また、現場での蛇篭の組み立ても、折り畳まれた側面網及び仕切面網を単に起立させるだけで、それらを連結する必要がないため、組み立て作業が簡単で蛇篭の設置作業を短時間で効率良く行うことができる。
【００１１】
本発明の角形蛇篭においては、上記骨線を有する面網が、この骨線により複数の網部分に区分されていて、これらの網部分が該骨線の位置で相互に折曲自在に連結されている。
【００１２】
上記各面網の相接する辺同士は、１本又は２本の骨線を介して相互に連結されていることが望ましい。
【００１３】
また本発明によれば、上記角形蛇篭を、各面網を相互に連結した状態のまま、上記骨線付きの面網を該骨線の位置で斜めに折曲することにより底面網上に折り重ね、その状態で包装してあることを特徴とする蛇篭包装体が提供される。
【００１４】
更に本発明によれば、上記角形蛇篭を、各面網を相互に連結した状態のまま、上記骨線付きの面網を該骨線の位置で斜めに折曲することにより底面網上に折り重ね、その状態で現場に輸送したあと、該現場で上記各面網を起立させることにより組み立てることを特徴とする蛇篭の取り扱い方法が提供される。
【００１５】
【発明の実施の形態】
図１は本発明に係る角形蛇篭の第１実施形態を示すもので、この角形蛇篭１０Ａは、上面が開放する角形容器状をした容体１１と、必要に応じてその上面を塞ぐ上面網１２とを備えていて、これらの容体１１及び上面網１２は、扁平螺旋状に折曲した複数の列線を順次連繋してなる菱形金網により形成されている。
【００１６】
上記容体１１は、矩形の底面網１４と、相対する前後一対の矩形の側面網１５ａ，１５ｂと、相対する左右一対の矩形の側面網１６ａ，１６ｂとからなっていて、これらの各面網１４，１５ａ，１５ｂ，１６ａ，１６ｂの相接する辺同士を互いに折曲自在なるように連結することにより、予め角形容器状に組み立てられている。この場合、図２に示すように、上記各面網１４，１５ａ，１５ｂ，１６ａ，１６ｂをそれぞれを個別に形成し、それらを骨線１８等の適宜連結手段で相互に連結しても、あるいは、図３に示すように、底面網１４と前後の側面網１５ａ，１５ｂとを一体に形成して、左右の側面網１６ａ，１６ｂを個別に形成し、それらを同様の適宜連結手段で相互に連結しても良い。
【００１７】
図２に示す例では、上記底面網１４と前後の側面網１５ａ，１５ｂとが、各面網１４，１５ａ，１５ｂの隣接端に位置する列線１９の折曲部１９ａに１本の共通の骨線１８を挿通することにより、相互に連結され、底面網１４と左右の側面網１６ａ，１６ｂとが、列線１９の端部に形成した環１９ｂに一本の共通の骨線１８を挿通することにより、相互に連結され、隣接する側面網１５ａと１６ａ及び１５ｂと１６ｂの側辺同士が、端部に位置する列線１９の折曲部１９ａと列線端に形成された環１９ｂとに一本の共通の骨線１８を挿通することにより、相互に連結されている。また、図３に示す例では、一体に形成された底面網１４と前後の側面網１５ａ，１５ｂとの境界部分に一本の骨線１８が挿通されている以外は、図２の場合と同様の方法で各面網１４，１５ａ，１５ｂ，１６ａ，１６ｂが連結されている。即ち、これらの例では、上記各面網１４，１５ａ，１５ｂ，１６ａ，１６ｂの相接する辺同士が、相互に一本の骨線１８によって連結されている。
【００１８】
なお、上記側面網の説明に「前後」及び「左右」という言葉を用いているが、これは、図示されている蛇篭を説明するについて便宜上使用している表現方法であって、実際の蛇篭の設置方向を規定ものではない。
また、上記側面網１５ａ，１５ｂ及び１６ａ，１６ｂについては、それらを区別して表現する必要がない場合には、単に符号「１５」又は「１６」で表示するものとする。
【００１９】
上記容体１１における左右の側面網１６ａ，１６ｂには、これらの側面網を斜めに折曲可能ならしめるための折線２１がそれぞれ傾斜状態に形成されている。この折線２１は、隣接する側面網１５ａ，１５ｂに連結された側辺２２の下端部と上辺２３の中間部との間を斜めに結ぶもので、図４又は図５に詳細に示すように、側面網１６ａ，１６ｂを形成する列線１９をこの折線２１の位置で分断すると共に、分断した線端部分にそれぞれ環２４を形成し、この環２４に骨線２５を挿通して分断された列線１９を相互に連結することにより、この折線２１が形成されている。図４に示す例では、各列線１９，１９の折曲部１９ａ，１９ａ同士が係合し合うべき位置に上記折線２１が形成されており、図５に示す例では、各列線１９の折曲部１９ａと１９ａと間の位置に上記折線２１が形成されている。しかし、列線１９の螺旋のピッチや折線２１の傾斜角度等によっては、この折線２１が、図４に鎖線で示すように、列線１９の折曲部１９ａの列に対して傾斜した状態や、この折曲部列を跨ぐように設けられることもある。なお、上記折線２１の傾斜角θは実質的に４５度であることが望ましいが、４５度より若干大きくても小さくても構わない。
【００２０】
また、上記折線２１の形成により側面網１６ａ，１６ｂの上辺２３は、骨線２６が２つまたは３つの線部分に分断され、これらの各線部分が折曲自在に連結されることになる。即ち、例えば図４及び図５に示すように、側面網１６ａ，１６ｂの長さＬが高さＨの２倍より大きく、かつこの側面網１６ａ，１６ｂの両側に折線２１を４５度の傾斜角度で設ける場合には、２つの折線２１の上端は互いに離れた位置で上辺２３と交わるため、この上辺２３即ち骨線２６は、３つの線部分２６ａ，２６ｂ，２６ｃに分割され、これらの線部分が相互に折曲自在に連結される。これに対し、上記側面網１６ａ，１６ｂの長さＬが高さＨの略２倍である場合には、これらの折線２１の上端は上辺２３の中央部で互いに交わるため、骨線２６は２つの線部分に分割される。
【００２１】
従って、上記折線２１を有する側面網１６ａ，１６ｂは、この折線２１によって複数の網部分、つまり、両側の三角形状をなす網部分１７ａ，１７ｂと、それらの間の台形状又は三角形状をなす網部分１７ｃとに区分され、これらの各網部分が、上記折線２１の位置で骨線２６により相互に折曲自在に連結された構成を有することになる。
【００２２】
図１中の符号２７は、前後の側面網１５ａ，１５ｂの保形性を保つためにそれらの中間位置に縦方向に取り付けられた補強線、２８は底面網１４を補強するための補強線である。
【００２３】
上記構成を有する角形蛇篭１０Ａは、容体１１を図１に示す如く予め箱形に組み立てた状態のまま、換言すれば、隣接する各側面網１５ａ，１５ｂ，１６ａ，１６ｂの相接する側辺同士を互いに連結した状態のまま、図６に金網の図示を省略して示すように、上記折線２１を備えた左右の側面網１６ａ，１６ｂをこの折線２１の位置で斜め内側に向けて折曲すると共に、前後の側面網１５ａ，１５ｂをその上に倒して底面網１４上に折り重ねることにより、図７に示すように扁平状に折り畳む。そして、その状態で一つ又は複数をまとめて梱包することにより蛇篭包装体として現場に輸送したあと、該現場で上記梱包を解き、各側面網１５ａ，１５ｂ，１６ａ，１６ｂを起立させることにより図１のように箱形に組み立て、所定の場所に所要数を配置して内部に土石等を充填し、上面網１２を閉じることにより現場に設置される。この場合に各蛇篭１０Ａは、必ずしも前後の側面網１５ａ，１５ｂを設置場所の前後に向けて設置されるとは限らず、左右の側面網１６ａ，１６ｂを前後に向けて設置されることも当然あり得る。
【００２４】
上記上面網１２の取り付けは適宜手段により行うことができるが、螺旋状の連結線を使用する場合でも、全ての面網の連結に螺旋状連結線を使用する従来工法に比べれば、その使用は上面網１２の取り付けだけに限られるため、連結に要する手数と時間は大幅に短縮されることになる。なお、例えば蛇篭を上下に複数段段積するような場合には、上段の蛇篭で下段の蛇篭の上面を覆うことにより、該下段の蛇篭の上面網１２は省略することができる。
【００２５】
また、上記蛇篭１０Ａは、例えば図８に示すように、傾斜する法面２０ａと水平な路肩２０ｂとが連なったような、途中で傾斜角度が変化する場所に連続して設置することもある。このような場合に、角部に設置される蛇篭１０Ａは、例えばその角部に面する側面網１５ａ，１５ｂ又は１６ａ，１６ｂが傾いた形に形成されるが、このような異形の蛇篭においても、上記側面網１５ａ，１５ｂ又は１６ａ，１６ｂに上述した折線２１を形成することにより、折り畳み自在とすることができる。
【００２６】
かくして上記角形蛇篭１０Ａによれば、それを予め容器形に組み立てた状態のまま、即ち、隣接する側面網１５ａ，１５ｂ，１６ａ，１６ｂの相接する側辺同士を互いに連結した状態のまま、これらの各側面網を底面網１４上に折り重ねることにより、嵩張らないようにコンパクトに折り畳むことができ、現場への輸送が容易で大量の蛇篭を同時輸送することができる。また、現場での組み立ても、折り重ねた側面網１５ａ，１５ｂ，１６ａ，１６ｂを単に立ち上がらせるだけで良いため、組み立て作業が非常に簡単で一人でも瞬時に行うことができ、蛇篭の設置作業を短時間で効率良く行うことができる。
【００２７】
なお、図示した実施形態においては、長さが短い方の側面網１６ａ，１６ｂに折線２１が設けられているが、長さが長い方の側面網１５ａ，１５ｂに折線２１を設けても良いことは当然である。
【００２８】
図９は角形蛇篭の第２実施形態を金網を省略して示すもので、この第２実施形態の角形蛇篭１０Ｂは、内部を複数の石詰め領域に仕切るための仕切面網２９を有する点で、上記第１実施形態の角形蛇篭１０Ａと相違している。即ち、この第２実施形態の角形蛇篭１０Ｂは、底面網１４の中間位置に上記仕切面網２９を左右の側面網１６ａ，１６ｂと平行に配置し、この仕切面網２９の底辺を底面網１４に、また両側辺を前後の側面網１５ａ，１５ｂに、それぞれ折曲自在なるように連結している。この仕切面網２９を他の面網１４，１５ａ，１５ｂに連結する方法としては、上記底面網１４と各側面網１５ａ，１５ｂ，１６ａ，１６ｂとを連結する方法と同じ方法を用いることができるが、それ以外の方法であっても良い。そして上記仕切面網２９は、左右の側面網１６ａ，１６ｂと同様に、側面網１５ａ，１５ｂに連結された側辺の下端部から斜め上方に向けて傾斜する折線２１を有していて、この折線２１の位置で斜めに折曲自在なるように構成されている。この蛇篭１０Ｂの上記以外の構成や上面網の要否、あるいは好ましい変形例等については、実質的に上記第１実施形態の蛇篭１０Ａと同じであるため、主要な同一構成部分に同一符号を付してその説明は省略する。
【００２９】
従って、上記第２実施形態の角形蛇篭１０Ｂにおいても、図１０に示す如く、上記仕切面網２９を、左右の側面網１６ａ，１６ｂと同様に折線２１の位置で折曲することにより、各側面網１５ａ，１５ｂ及び１６ａ，１６ｂと共に底面網１４上に折り重ねることができる。
【００３０】
また、上述したように左右の側面網１６ａ，１６ｂに折線２１を設ける代わりに、図９に鎖線で示すように前後の側面網１５ａ，１５ｂに折線２１を設けても良く、この場合には、角形蛇篭１０Ｂは図１１に示すように折り畳まれる。
なお、図示の例では１つの仕切面網２９が設けられているが、蛇篭の長さ等に応じて複数の仕切面網２９を設けることができることは言うまでもないことである。
【００３１】
図１２は角形蛇篭の第３実施形態を金網を省略して示すもので、この第３実施形態の角形蛇篭１０Ｃは、側面網として隣接する２つの側面網１５ａ及び１６ａだけを備えている点で、前後及び左右の４つの側面網１５ａ，１５ｂ，１６ａ，１６ｂを備えた上記第１実施形態の蛇篭１０Ａと相違している。即ち、この第３実施形態の角形蛇篭１０Ｃは、容体１１が、底面網１４と、前後一対の側面網のうち一方の側面網１５ａと、左右一対の側面網のうち一方の側面網１６ａとを有していて、これら２つの側面網１５ａ，１６ａのうち一方の側面網１６ａに折線２１が形成されている。この折線２１は、側面網１５ａに連結された側辺２２ａ側だけに形成されていて、他方の側辺２２ｂ側には形成されていない。この蛇篭１０Ｃの上記以外の基本構成や好ましい変形例等については、実質的に上記第１実施形態の蛇篭１０Ａと同じであるため、主要な同一構成部分に同一符号を付してその説明は省略する。
なお、この蛇篭１０Ｃにおいても、特に図示はされていないが、必要に応じて上面網１２が用意される。
【００３２】
上記角形蛇篭１０Ｃは、図１３に示すように側面網１５ａ，１６ａを底面網１４上に折り重ねて梱包し、その状態で現場に輸送したあと、図１２に示すようにこれらの側面網１５ａ，１６ａを起立させて組み立て、図１４に示すように、同様に構成された複数の蛇篭１０Ｃを前後及び左右に配置して適宜手段で相互に連結すると共に、最側端部と最後端部に位置する蛇篭１０Ｃに個別に形成した側面網１５ｂ及び１６ｂをそれぞれ取り付けることにより、複数の蛇篭１０Ｃが一体化された篭マット状に組み立て、それらの内部に土石を充填して上面網を取り付けることにより設置される。なお、上記側面網１６ａには折線は形成されていない。
【００３３】
これにより、隣接する２つの蛇篭１０Ｃ，１０Ｃの接合面間に１枚の側面網１５ａ，１６ａだけを介在させた状態で蛇篭を設置することができ、資材の重複をなくして経済性の向上を図ることができる。なお、この場合に上面網は、各蛇篭１０Ｃ毎に個別に取り付けても良いが、縦又は横の蛇篭列毎にその列に対応する長さの上面網を取り付けても良く、あるいは、縦横複数の蛇篭を１単位として各単位毎にそれに対応する広さの上面網を取り付けることもできる。更には、例えば蛇篭を上下に複数段段積するような場合には、上段の蛇篭で下段の蛇篭の上面を覆うことにより、該下段の蛇篭の上面網は省略することができる。
【００３４】
なお、この第３実施形態の角形蛇篭１０Ｃにおいても、図１２及び図１３に鎖線で示すように、上記底面網１４の中間位置に、傾斜する折線２１を側部に有する少なくとも１つの仕切面網２９を取り付けることができる。
また、上記角形蛇篭１０Ｃを単独で設置する場合は、その開放する２つの側面に上述した側面網１５ｂ及び１６ｂをそれぞれ取り付ければ良い。
【００３５】
図１５は角形蛇篭の第４実施形態を金網の図示を省略して示すもので、この第４実施形態の角形蛇篭１０Ｄは、３つの側面網を備えている点で、上記第１及び第３実施形態の蛇篭１０Ａ，１０Ｃと相違している。即ち、この第４実施形態の角形蛇篭１０Ｄは、容体１１が、底面網１４と、前後の側面網のうち一方の側面網１５ａと、左右の側面網１６ａ，１６ｂとを有していて、これら左右の側面網１６ａ，１６ｂにそれぞれ折線２１が形成されている。この折線２１は、前部の側面網１５ａに連結された側辺側だけに形成されていて、反対側には形成されていない。この蛇篭１０Ｄの上記以外の基本構成や好ましい変形例等については、実質的に上記第１実施形態の蛇篭１０Ａと同じであるため、主要な同一構成部分に同一符号を付してその説明は省略する。なお、この蛇篭１０Ｄにおいても、必要に応じて上面網が用意される。
【００３６】
そしてこの第４実施形態の蛇篭１０Ｄにおいても、左右の側面網１６ａ，１６ｂをそれぞれ上記折線２１の位置で斜めに折曲して前部の側面網１５ａと共に底面網１４上に折り重ねることにより、コンパクトに折り畳んで輸送することができるだけでなく、現場での組立作業を、折り重ねた側面網１５ａ，１６ａ，１６ｂを単に立ち上がらせるだけで簡単に行うことができる。
【００３７】
なお、図示の例では、左右の側面網１６ａ，１６ｂに折線２１が形成されているが、この折線２１は、左右の側面網１６ａ，１６ｂに設ける代わりに、図１５に鎖線で示すように、それらの間に位置する前部の側面網１５ａの左右両側に設けることもできる。
【００３８】
また、上記第４実施形態の蛇篭１０Ｄは、同様の構成を持つ複数の蛇篭を前後に接続して設置する際に、隣接する蛇篭の接合面間に１枚の側面網１５ａだけが介在して資材の重複が防止されるようにしたものであるが、同様の考えにより、左右に接続する蛇篭の接合面間に１枚の側面網１６ａ又は１６ｂだけを介在させるようにする場合には、蛇篭を、前後の側面網１５ａ，１５ｂと、左右いずれか一方の側面網１６ａ又は１６ｂとを備えるように構成すれば良く、この場合に折線２１は、上記前後の側面網１５ａ，１５ｂにそれぞれ形成されるか、それらの間に位置する側面網１６ａ又は１６ｂに形成される。
【００３９】
なお、この第４実施形態の角形蛇篭１０Ｄにおいても、図１５に鎖線で示すように、上記底面網１４の中間位置に、傾斜する折線２１を側部に有する少なくとも１つの仕切面網２９を取り付けることができる。
【００４０】
図１６は角形蛇篭の第５実施形態を金網を省略して示すもので、この第５実施形態の角形蛇篭１０Ｅは、矩形の底面網１４と、この底面網１４の中間位置に起倒自在に取り付けられた１つ以上の仕切面網２９と、上記底面網１４の側辺に該仕切面網２９と交差する向きに取り付けられた１つの側面網１５ａとを有している。そして、これらの仕切面網２９と側面網１５ａとは相互に折曲自在なるように連結されていて、上記仕切面網２９には、側面網１５ａに連結された側辺の下端部から斜め上方に向けて傾斜状態に延びる折線２１が設けられ、この折線２１に沿って斜めに折曲可能なるように構成されている。この蛇篭１０Ｅの上記以外の基本的構成や好ましい変形例等については、実質的に上記第１実施形態の蛇篭１０Ａと同じであるため、主要な同一構成部分に同一符号を付してその説明は省略する。
【００４１】
この角形蛇篭１０Ｅは、図１７に示すように、仕切面網２９を折線２１の位置で折曲することにより側面網１５ａと共に底面網１４上に折り重ね、その状態で現場に輸送したあと、上記仕切面網２９と側面網１５ａとを起立させることにより組み立てる。そして図１８に示すように、複数の蛇篭１０Ｅを前後及び左右に配置して、左右の蛇篭間に別形成された共通の側面網１６を介在させると共に、後端部に位置する各蛇篭１０Ｅの後面に側面網１５ｂを取り付け、更に、左右両側端部に位置する蛇篭１０Ｅの外側面に側面網１６を取り付けることにより、篭マット状に組み立て、内部に石詰めすることにより設置される。この場合、必要に応じて図示しない上面網が取り付けられる。また、蛇篭を段積することもできる。さらに、この角形蛇篭１０Ｅを単独で設置する場合は、別形成された側面網１５ｂ及び１６ａ，１６ｂが用意され、開放する３つの側面にこれらの側面網１５ｂ及び１６ａ，１６ｂがそれぞれ取り付けられる。
【００４２】
なお、図１６に示す蛇篭１０Ｅは、仕切面網２９の一端側だけに側面網１５ａを備えているが、同図に鎖線で示すように、仕切面網２９の他端側にも側面網１５ｂを設けることができる。この場合には、仕切面網２９の両側部に折線２１が形成されることは当然である。
【００４３】
図１９は、折線２１を有する側面網１５，１６又は仕切面網２９の変形例を示すもので、この側面網１５，１６又は仕切面網２９は、折線２１で区分される各網部分１７ａ，１７ｂ，１７ｃを、外周の各辺にそれぞれ骨線３１を備えた枠付き網として個別に形成し、これらの網部分の骨線３１，３１同士を螺旋状連結線のような連結金具３２で相互に折曲自在に連結したものである。このような側面網の形態は、図１２、図１５、図１６に示す蛇篭の、一つの折線を有する側面網や仕切面網にも適用できることは言うまでもないことである。
【００４４】
なお、上記各実施例では、蛇篭が菱形金網で形成されているが、亀甲金網や溶接金網のようなその他の適宜網材を用いることができることも当然である。
【００４５】
【発明の効果】
以上に詳述したように本発明によれば、角形蛇篭を予め容器形など所定の形に組み立てた状態のまま、即ち、各面網を互いに連結した状態のまま、それらを底面網上に折り重ねることができるため、蛇篭を嵩張らないようにコンパクトに折り畳むことができ、現場への輸送が容易で大量の蛇篭を同時輸送することができる。また、現場での蛇篭の組み立ても、折り畳まれた側面網及び仕切面網を単に起立させるだけで、それらを連結する必要がないため、組み立て作業が非常に簡単で一人でも瞬時に行うことができ、蛇篭の設置作業を短時間で効率良く行うことが可能になる。
【図面の簡単な説明】
【図１】本発明に係る角形蛇篭の第１実施形態を示す斜視図である。
【図２】図１の角形蛇篭における容体の一例を示す展開図である。
【図３】図１の角形蛇篭における容体の他例を示す展開図である。
【図４】図１の角形蛇篭における折線付きの側面網の一例を示す正面図である。
【図５】図１の角形蛇篭における折線付きの側面網の他例を示す正面図である。
【図６】図１の角形蛇篭の折り畳み途中の状態を示す金網を省略した斜視図である。
【図７】図１の角形蛇篭の折り畳み後の状態を示す金網を省略した平面図である。
【図８】図１の角形蛇篭の設置例を示す側面図である。
【図９】本発明に係る角形蛇篭の第２実施形態を示す金網を省略した斜視図である。
【図１０】図９の角形蛇篭の折り畳み状態を示す金網を省略した平面図である。
【図１１】図９の角形蛇篭の他の折り畳み状態を示す金網を省略した平面図である。
【図１２】本発明に係る角形蛇篭の第３実施形態を示す金網を省略した斜視図である。
【図１３】図１２の角形蛇篭の折り畳み状態を示す金網を省略した斜視図である。
【図１４】図１２の角形蛇篭の設置方法を説明する金網を省略した斜視図である。
【図１５】本発明に係る角形蛇篭の第４実施形態を示す金網を省略した斜視図である。
【図１６】本発明に係る角形蛇篭の第５実施形態を示す金網を省略した斜視図である。
【図１７】図１６の角形蛇篭の折り畳み状態を示す金網を省略した平面図である。
【図１８】図１６の角形蛇篭の設置方法を説明するための平面図である。
【図１９】折線を有する側面網又は仕切面網の変形例を示す正面図である。
【図２０】従来の角形蛇篭の斜視図である。
【符号の説明】
１０Ａ，１０Ｂ，１０Ｃ，１０Ｄ，１０Ｅ      蛇篭
１４      底面網
１５ａ，１５ｂ，１５      前後の側面網
１６ａ，１６ｂ，１６      左右の側面網
１８      骨線
２２      側辺
２４      環
２５      骨線
２９      仕切面網
【図１】
0003553908.tif 000002
【図２】
0003553908.tif 000003
【図３】
0003553908.tif 000004
【図４】
0003553908.tif 000005
【図５】
0003553908.tif 000006
【図６】
0003553908.tif 000007
【図７】
0003553908.tif 000008
【図８】
0003553908.tif 000009
【図９】
0003553908.tif 000010
【図１０】
0003553908.tif 000011
【図１１】
0003553908.tif 000012
【図１２】
0003553908.tif 000013
【図１３】
0003553908.tif 000014
【図１４】
0003553908.tif 000015
【図１５】
0003553908.tif 000016
【図１６】
0003553908.tif 000017
【図１７】
0003553908.tif 000018
【図１８】
0003553908.tif 000019
【図１９】
0003553908.tif 000020
【図２０】
0003553908.tif 000021